(57)【要約】      （修正有）【課題】集結したソーラーパネル等を積載して太陽を追尾する回転架台を提供する。【解決手段】傾斜した回転軸３の軸受けとなる円筒状シリンダーへ取り付けるスライダを直接シリンダー底面小口へ固着し二連の歯車式クランクのクランクピンを滑り対偶で差し込み、一年に一回転させ四季の太陽高度を追尾する。又大型ソーラーパネルの形成には、パネル取り付け台下辺中央へ鉛直に取り付けた強固な骨組みとこれをスムーズに回転さす為に回動用の滑車を装着した水平回転架台を設置する。さらに水平基盤面１中央に取り付けられた傾斜した回転軸３へ直角に固着した突起軸３′とパネル取り付け台４のシリンダー４′を回転自由に結合させ、基盤面上へ設置したリング状回転架台の上端とパネル取り付け台下２カ所を前後傾斜自由に取り付ける。リング状回転架台内輪を内歯車とし水平基盤に取り付けた原動節となる小歯車で従動節となるリング状回転架台を一日二回の半回転を繰り返せば朝から夕方迄のスムースな太陽追尾が可能となる。【選択図】図４
0003157530.tif 000002
【実用新案登録請求の範囲】
【請求項１】
太陽光発電高効率化の為の大型ソーラーパネル太陽追尾装置は実用新案登録第３１４１２２９号の電動歯車式太陽追尾装置の大型化の為太陽発電パネルを縦横に数個接続した大型パネルとし基盤面上南北方向に傾斜して設置する回転シャフト３の軸受となる円筒状シリンダー２の下部底面へ直接スライダを取り付ける事で構造の簡素化と力の配分の合理化を特徴とした二連の歯車式クランクの四季に亙る太陽高度追尾機構。
【請求項２】
請求項１の太陽追尾装置に於て集積した大型太陽パネルの日毎太陽追尾手段としてパネル取り付け架台を直接回動さす為リング状水平回転架台を水平基盤面に設置し中央部のシーソー状に設置された回転軸３へ直角に固着された突起軸３′とパネル取り付け架台下部中央のシリンダーと結合した状態でリング状水平回転架台の上部接点２カ所に後傾したパネル取り付け架台４を前後傾斜自由に取り付けリング状回転台内輪に内歯車を設け原動節となる小歯車で従動節となる水平回転架台を１２時間毎に半回転の正逆転繰り返しが可能なことを特徴とした一日毎の電動歯車式太陽追尾装置。
【請求項３】
請求項１の大型化したソーラーパネル架台の台風時転倒防止設備として水平基盤支柱外側部に大口径の既存塩ビ排水用パイプを流用して作成した重石用水管を固定する事を特徴とした大型ソーラーパネル駆動装置の台風時浮上がり防止用水缶装置。
【考案の詳細な説明】
【考案が解決しようとする課題】
【０００１】  実願登録第３１４１２２９号に於ける単体の太陽追尾装置ではその発電容量が小さく発電コストが高くつくのでソーラーパネルを大型化し太陽高度追尾の遥動部位の簡素化と発電パネルのモジュール１２〜２０枚を結合大型化したソーラーパネル取り付け台が円滑に回動出来る様な機構を開発しようとするものである。
【課題を解決する為の手段】
【０００２】  上記の目的を達成する為に太陽高度追尾については傾斜した回転軸３の軸受けとなる円筒状シリンダー２へ取り付けるスライダ７を直接シリンダー底面小口へ固着し二連の歯車式クランクのクランクピンを滑り対偶で差し込み一年に一回転させれば四季の太陽高度を追尾し機構も簡素化される、又大型ソーラーパネルの形成にはパネル取り付け台下辺中央へ鉛直に取り付けた強固な骨組みとこれをスムーズに回転さす為に回動用の滑車を装着した水平回転架台が必要で、水平基盤面中央に取り付けられた傾斜した回転軸３へ直角に固着した突起軸３′とパネル取り付け台４のシリンダー４′を回転自由に結合させ基盤面上へ設置したリング状回転架台の上端とパネル取り付け台下２カ所を前後傾斜自由に取り付け、リング状回転架台内輪を内歯車とし水平基盤に取り付けた原動節となる小歯車で従動節となるリング状回転架台を一日二回の半回転を繰り返せば突起軸の回動でパネル取り付け架台は直立、傾斜、直立と朝から夕方迄のスムースな太陽追尾が可能となる、尚リング状回転架台の内輪には基盤面上の回転架台の回動を助けるべく縁付き誘導輪を数カ所設置し風による浮き上がりも防ぐこととする、尚水平基盤支持の支柱には排水用塩ビパイプを転用した水筒を取り付け台風時の浮き上がり防止用の重石変わりとする。
【考案の効果】
【０００３】  上記明細書の様な構造の架台え太陽発電モジュールを複数枚組み合わせて住宅用容量の３〜４ＫＷの太陽電池アレイとして積載又は太陽温水器並びに太陽光・熱ハイブリットコレクターを併設すれば太陽電池モジュールの冷却効果も付加され重石用水筒内の水も循環利用すれば尚効果的でこれ等の機器へ太陽の直角光が当たれば効率は倍加される。
【図面の簡単な説明】
【０００４】
【図１】二連の歯車式クランクの揺動装置、右側は回転シャフトの突起軸と架台パネル取り付け枠並びに揺動シリンダーの組み合わせ図である。
【図２】吊り下げ式シリンダーの斜視図で右図は回転シャフトと突起軸の斜視図である。
【図３】水平リング状回転架台平面図と右図は回転架台とパネル取り付け枠と回転軸受けシリンダー回転軸シャフトの組み合わせ縦断面図で中央上方がリング状回転架台断面拡大図である。
【図４】水平基盤上の回転架台前面斜視図と右側は背面斜視図である。
【符号の説明】
【０００５】Ａ    垂直線  Ｂ  北緯３５度３０分（東京近郊を仮定）
θ    ２３度２７分（地軸の傾斜角度、Ｂ〜Ｃ、Ｂ〜Ｄ間の角度）
Ｘ    二連の歯車式クランクのクランクピン回転半径。
１    ベース水平基盤（１′水平基盤を支持する柱脚）
２    回転シャフト受けシリンダー（ベース基盤面上から横軸により吊り下げ）
３    主体の回転用シャフト（３′シャフトへ直角に固着した突起状シャフト、３″回転用シャフト頭部滑車と、３°パネル取り付け架台裏ガイドレール）
４    パネル取り付け架台（４′架台底板中央に垂直に付けたシリンダー状シャフト受け）
５    パネル取り付け架台を支持するリング状回転架台（５′内歯車  ５″駆動用歯車）
６    回転架台回動用車輪（６′回転架台浮き上り防止誘導滑車（６″パネル受け架台取り付け角自由丁番）
７    四季の太陽高度を追尾する為にスベリ待遇となる二本のスライダ。
８    二連の歯車式クランクの原動節となる電動歯車。
９    二連の歯車式クランク（９′歯車式クランクのクランクピン）
１０  二連の歯車式クランクの回転軸。
１１  駆動用歯車５″を１２時間毎に逆回転させる機構。
１２  台風時の浮き上りを防止する為の重石変わりにする塩ビ管の水筒。
【図１】
0003157530.tif 000003
【図２】
0003157530.tif 000004
【図３】
0003157530.tif 000005
【図４】
0003157530.tif 000006
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
この太陽光発電高効率化の考案は太陽電池モジュールを縦横数個接続し大型ソーラーパネルの搭載可能な枠組みを太陽高度追尾の為に水平基盤中央へ南北方向に傾斜して設置する回転シャフト３の軸受となる円筒シリンダーの頭部２へ横軸２´を固着し水平基盤から揺動自由に吊り下げこの円筒シリンダーの底面小口に直接スライダ７を取り付け二連の歯車式クランクのクランクピン９´をすべり対偶として組み合わせこのクランクを一年に１回転させて四季の太陽高度追尾が可能な事を特徴とした大型ソーラーパネル太陽追尾装置。
【請求項２】
請求項１の太陽追尾装置の一日毎の太陽追尾手段としてパネル取り付け架台４を直接回動さす為にリング状水平回転架台５を水平基盤面へ設置し基盤中央部の揺動用シリンダー２へ回転自由に差し込んだ回転軸３の突起軸３´とパネル取り付け架台底部中央の鉛直に設置されたシリンダー４´を結合した状態でリング状水平回転架台５の上面接点２カ所に後傾したパネル取り付け架台４を前後傾斜自由に取り付けて従動節となるリング状回転架台内輪の内歯車５´を原動節の小歯車６´で１２時間毎に半回転の反復回転をすればパネル架台は突起軸の回動により直立傾斜直立と一日毎の太陽追尾が可能なことを特徴とした請求項１に記載の大型ソーラーパネル太陽追尾装置。
【請求項３】
請求項１の太陽追尾装置の作動による朝夕のパネル架台直立時に東西方向の大風を受けた場合の応力が最大と成るため風上側の浮き上り転倒防止の為口径が２０ｃｍ前後の長尺塩ビ管を水筒状に加工し水平基盤柱脚部外側に取り付けて注水し重石として使用し転倒防止の可能な事を特徴とした請求項１に記載の大型ソーラーパネル太陽追尾装置。
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
この太陽光発電高効率化の考案は太陽電池モジュールを縦横数個接続し大型ソーラーパネルの搭載可能な枠組みを太陽高度追尾の為に水平基盤中央へ南北方向に傾斜して設置する回転シャフト３の軸受となる円筒シリンダーの頭部２へ横軸２´を固着し水平基盤から揺動自由に吊り下げこの円筒シリンダーの底面小口に直接スライダ７を取り付け二連の歯車式クランクのクランクピン９´をすべり対偶として組み合わせこのクランクを一年に１回転させて四季の太陽高度追尾が可能な事を特徴とした大型ソーラーパネル太陽追尾装置。
【請求項２】
請求項１の太陽追尾装置の一日毎の太陽追尾手段としてパネル取り付け架台４を直接回動さす為にリング状水平回転架台５を水平基盤面へ設置し基盤中央部の揺動用シリンダー２へ回転自由に差し込んだ回転軸３の突起軸３´とパネル取り付け架台底部中央の鉛直に設置されたシリンダー４´を結合した状態でリング状水平回転架台５の上面接点２カ所に後傾したパネル取り付け架台４を前後傾斜自由に取り付けて従動節となるリング状回転架台内輪の内歯車５´を原動節の小歯車６´で１２時間毎に半回転の反復回転をすればパネル架台は突起軸の回動により直立傾斜直立と一日毎の太陽追尾が可能なことを特徴とした請求項１に記載の大型ソーラーパネル太陽追尾装置。